(57)【要約】【課題】フレームに弾性織物シートが張られた構成の座又は背もたれにおいて、体重が異なる人に同じ程度のクッション性を付与する。【解決手段】弾性織物シート２は、経糸６の群と緯糸７の群とから成っており、経糸６を左右長手の姿勢にして、緯糸７を前後長手の姿勢にしている。また、弾性織物シート２は、センター領域８と、その外側に位置した２つのサイド領域９，１０とに区分されており、単位面積当たりの弾性強度は、センター領域８＜第１サイド領域９＜第２サイド領域１０の関係になっている。左右外側において弾性強度が高くなっているため、体格の違いに対する弾性織物シート２の伸びの変化の追従性が高い。かつ、強弾性緯糸７ａが前後長手の姿勢であるため、体格の違い（左右横幅の違い）に応じて、荷重が作用する強弾性緯糸７ａの本数が変化する。これらの相乗効果により、クッション性の体重感応性が高い。【選択図】図１
2017213185.tif 000002
【特許請求の範囲】
【請求項１】
座又は背もたれ若しくは両方が、着座者の体圧を支える弾性織物シートと、前記弾性織物シートが略全周に亙って固定されたフレーム体とを備えており、
前記弾性織物シートを、左右中間部の側に位置したセンター領域とその左右外側に位置したサイド領域とに区分して、単位面積当たりの弾性強度を、前記センター領域よりもサイド領域が強くなるように設定している、
椅子
【請求項２】
前記弾性織物シートには弾性強度が相違する複数種類の糸を使用しており、弾性強度が最も高い強弾性糸を、左右方向と直交した縦方向に長い姿勢で使用している、
請求項１に記載した椅子。
【請求項３】
前記サイド領域は、更に、左右方向に分かれた複数の領域に区分されており、これら複数のサイド領域は、センター領域から遠ざかるほど単位面積当たりの弾性強度が高くなっている、
請求項１又は２に記載した椅子。
【請求項４】
前記弾性織物シートは経糸の群と緯糸の群とから成っており、前記経糸は左右方向に長い姿勢になって、前記各緯糸は、前記左右方向と直交した縦方向に長い姿勢になっており、
前記緯糸として弾性強度が相違する複数種類の糸が使用されており、前記センター領域よりもサイド領域において弾性強度が最も高い強弾性糸の本数を多くすることにより、前記センター領域よりもサイド領域の単位面積当たりの弾性強度を高くしている、
請求項１〜３のうちのいずれかに記載した椅子。
【請求項５】
前記複数種類の緯糸のうち最も弾性強度が高い糸は、複数本ずつの経糸より成る経糸グループの群に対して交互に絡まっている、
請求項４に記載した椅子。
【請求項６】
並列配置された多数の経糸をその長手方向である経方向に繰り出しながら、緯糸を前記経糸と直交した方向に飛ばすことによって帯状の弾性織物原反を織成して、前記弾性織物原反を座又は背もたれに対応した寸法の弾性織物シートにカットして、前記弾性織物シートを、座又は背もたれの外形を構成するフレームに、経糸が左右方向に長い姿勢で、緯糸が左右方向と直交した縦方向に長い姿勢となるようにして略全周に亙って固定し、以て、前記弾性織物シートで着座者の体圧が支持される座又は背もたれを得る構成であって、
前記緯糸には強弾性糸が使用されており、左右単位幅あたり強弾性糸の配置本数を、左右中間部の側のセンター領域よりもその左右外側に位置したサイド領域で多くすることにより、単位面積当たりの弾性強度が前記センター領域よりもサイド領域において高くなるように設定しており、
従って、前記原反には、１枚の強弾性糸シートに対応した弾性強度の強弱パターンが長手方向に繰り返し形成される、
椅子の座又は背もたれの製造方法。
【発明の詳細な説明】
【技術分野】
【０００１】
本願発明は、着座者の体圧が弾性織物シートで支えられる座又は背を備えた椅子、及び、これを構成する座又は背もたれの製造方法に関するものである。ここにいう「座又は背もたれ」は、座と背もたれとが互いに分離しているものはもとより、座と背もたれとが一体化しているものも含んでいる。すなわち、座フレームと背フレームとが一体化されて、この背座一体方式のフレームに弾性織物シートを張ったものも含んでいる。更に、フレームが背座一体方式の場合、座用の弾性織物シートと背もたれ用の弾性織物シートとが連続して全体として１枚になっている場合と、座用の弾性織物シートと背もたれ用の弾性織物シートとが別々に分離している場合とがある。
【背景技術】
【０００２】
椅子において、着座者の体圧を支持する部材として、メッシュ状の織地や編地のような弾性布帛（布ばね）を使用することは広く行われている。この弾性布帛支持方式の座や背もたれは、通気性やデザイン性に優れているが、織地又は編地は着座者の体圧で伸び変形するに過ぎないため、ウレタンやスポンジのようなクッション材を板材（シェル体）に張った構造のものに比べて、身体へのフィット性が劣るという欠点がある。すなわち、身体の形状に倣うようには変形しないため、フィット性に劣る欠点がある。
【０００３】
また、座の場合は下方からの支えがなくて、背もたれの場合は後ろからの支えがないため、全体に亙って均等な弾性強度であると、体圧が強くかかる部分が過剰に伸び変形してしまうという問題も指摘されている。さりとて、全体の弾性強度を強くすると、体重の軽い人が使用した場合に伸びが悪くなって、「硬い」という評価に至ってしまう。
【０００４】
そこで、布帛の弾性強度を場所によって異ならせることにより、伸びを制御する改良案が提案されている。その例として特許文献１には、背もたれに適用した例として、左右方向の弾性強度を上下方向に異ならせて、着座者の腰部が当たる部分の弾性強度を強くすることが開示されている。特許文献２にも、同様の技術が開示されている。
【０００５】
他方、特許文献３には、座を例にとると、左右に配置した支桿に取付けられたクッション布帛において、強弾性糸を左右方向に伸びる姿勢に配置すると共に、左右中間部のエリアを、左右方向に伸びにくい低伸縮部と成すことが開示されている。この特許文献２には、人が着座すると、クッション布帛（弾性織物又は弾性編物）のうち低伸縮部が、自転車のサドルのように変形する旨が記載されている。
【先行技術文献】
【特許文献】
【０００６】
【特許文献１】特開２００９−１１２３６０号公報
【特許文献２】実公平０１−４１３２０号公報
【特許文献３】特開２００６−１０９９７０号公報（特許第４５４４５２０号公報）
【発明の概要】
【発明が解決しようとする課題】
【０００７】
さて、既述のとおり、弾性布帛が全体に亙って均等な弾性強度であると、体重の重い人にとっては好適なクッション性であっても、体重の軽い人が使用すると変形が不十分で硬く感じ、逆に、体重の軽い人にとっては好適なクッション性であっても、体重の重い人が使用すると沈み込み過ぎて柔らかく感じるというように、体重が軽重異なる人に対して同じようなクッション性（快適性）を付与しにくいという問題があるが、この点はいずれの特許文献も改善できないといえる。
【０００８】
つまり、座を例にとると、図１（Ａ）に示すように、座には、大まかに見ると、着座者の座骨の箇所を最大の強さとして、２つの縦長卵を左右に並べたように着座者の体圧がかかり、荷重がかかる面積が使用者の体格によって相違する。しかし、例えば特許文献３のように強弾性糸が左右長手の姿勢で配置されていると、臀部の箇所において荷重作用部が左右横長であることと、大腿部の箇所において荷重作用部が前後長手であることには違いはないこととにより、体格（体重）が相違しても、荷重がかかる左右横長の強弾性糸７ａの本数にはあまり違いはないため、使用者の体重に比例して各強弾性糸７ａの伸びが変化するという現象が生じて、体重の相違する人に同じようなクッション性を付与しにくいのである。
【０００９】
さて、高い弾性力を得るには編物（編地）よりも織物（織地）を使用するのが好ましく、この場合、強弾性糸を経糸に使用する場合と、強弾性糸を緯糸に使用する場合とがあるが、特許文献３において経糸の群の一部に強弾性糸を使用する（経糸群に強弾性糸を織り込む）と、強弾性糸と低弾性糸とを一定の速度で繰り出しつつ織成するにおいて、緯糸を経糸の群に絡めていくうちに、強弾性糸は変形しにくいが低弾性糸は変形しやすいことから、低弾性糸にテンションが強くかかるという現象が生じ、すると、織地によじれが生じて、途中で正しく織成不能に陥りやすい。
【００１０】
逆に、緯糸の群の一部に強弾性糸を使用すると、低伸縮部の箇所では経糸の密度を大きくせねばならないが、経糸の密度を緯方向に変えた状態で緯糸を経糸に絡ませるのは技術的に非常に難しい。従って、特許文献３では、その狙いは評価に値するが、製造上の面での問題が大きいと解される。
【００１１】
本願発明はこのような現状を改善すべく成されたものであり、体圧を支持する弾性布帛として、弾性編物でなく弾性織物を使用することによって高い支持強度を確保することを前提として、体格が相違する人に同じようなクッション性を付与すること、及び、その弾性布帛を商業的に製造可能とすること等を目的とするものである。
【課題を解決するための手段】
【００１２】
本願発明は、椅子の発明と、椅子を構成する座又は背もたれの製法とを含んでいる。請求項１では椅子の発明を特定しており、この椅子は、
「座又は背もたれ若しくは両方が、着座者の体圧を支える弾性織物シートと、前記弾性織物シートが略全周に亙って固定されたフレーム体とを備えており、
前記弾性織物シートを、左右中間部の側に位置したセンター領域とその左右外側に位置したサイド領域とに区分して、単位面積当たりの弾性強度を、前記センター領域よりもサイド領域が強くなるように設定している」、
という構成になっている。
【００１３】
なお、弾性織物シートの「弾性強度」は、左右方向の伸びに対する強度と、縦方向の伸びに対する強度とに分解できるが、身体の沈み込みに対する抵抗という点では糸の伸び方向は関係ないので、左右方向と縦方向とのいずれであってもよい。
【００１４】
センター領域の左右幅やサイド領域の左右幅には限定はない。従って、本願発明は、単位面積当たりの弾性強度が左右中間部から左右両端に向かって徐々に高くなる構成も含んでいる。センター領域だけを弾性強度が徐々に変化する組織に織成したり、サイド領域のみを弾性強度が徐々に変化する組織に織成することも可能である。
【００１５】
請求項１の好適な具体例として、請求項２では、前記弾性織物シートには弾性強度が相違する複数種類の糸を使用しており、弾性強度が最も高い強弾性糸を、左右方向と直交した縦方向に長い姿勢で使用している。
【００１６】
請求項３の発明は、請求項１又は２を具体化したものであり、この発明では、前記サイド領域は、更に、左右方向に分かれた複数の領域に区分されており、これら複数のサイド領域は、センター領域から遠ざかるほど単位面積当たりの弾性強度が高くなっている。サイド領域は、左右２つの子領域に分けてもよいし、３つ以上の子領域に分けてもよい。
【００１７】
請求項４の発明は、請求項１〜３のうちのいずれかにおいて、
「前記弾性織物シートは経糸の群と緯糸の群とから成っており、前記経糸は左右方向に長い姿勢になって、前記各緯糸は、前記左右方向と直交した縦方向に長い姿勢になっており、
前記緯糸として弾性強度が相違する複数種類の糸が使用されており、前記センター領域よりもサイド領域において弾性強度が最も高い強弾性糸の本数を多くすることにより、前記センター領域よりもサイド領域の単位面積当たりの弾性強度を高くしている」、
という構成になっている。
【００１８】
請求項４の具体例として、請求項５では、前記複数種類の緯糸のうち最も弾性強度が高い糸は、複数本ずつの経糸より成る経糸グループの群に対して交互に絡まっている、という構成にしている。
【００１９】
請求項６の発明は、座又は背もたれの製法に関するもので、
「並列配置された多数の経糸をその長手方向である経方向に繰り出しながら、緯糸を前記経糸と直交した方向に飛ばすことによって帯状の弾性織物原反を織成して、前記弾性織物原反を座又は背もたれに対応した寸法の弾性織物シートにカットして、前記弾性織物シートを、座又は背もたれの外形を構成するフレームに、経糸が左右方向に長い姿勢で、緯糸が左右方向と直交した縦方向に長い姿勢となるようにして略全周に亙って固定し、以て、前記弾性織物シートで着座者の体圧が支持される座又は背もたれを得る」、
という基本構成になっている。
【００２０】
そして、上記基本構成において、
「前記緯糸には強弾性糸が使用されており、左右単位幅あたり強弾性糸の配置本数を、左右中間部の側のセンター領域よりもその左右外側に位置したサイド領域で多くすることにより、単位面積当たりの弾性強度が前記センター領域よりもサイド領域において高くなるように設定しており、
従って、前記原反には、１枚の強弾性糸シートに対応した弾性強度の強弱パターンが長手方向に繰り返し形成される」、
という特徴を有している。
【００２１】
特許文献３では、低伸縮部の左右幅は５〜１５ｃｍが好適な寸法であると記載しているが、本願発明では、センター領域の左右幅は約１５〜２０ｃｍに設定可能である。但し、これは一例であり、センター領域及びサイド領域とも、左右幅は任意に設定できる。
【発明の効果】
【００２２】
さて、体格と体重は比例しており、腰や臀部の横幅は体重に比例しているのが普通である。従って、弾性織物シートによる着座者の支持面積は体重に比例しているとはいえるが、弾性織物シートの全体が均等な弾性強度であると、弾性織物シートの伸び量（弾性変形量）の変化が体重の変化に追従しない傾向があり、このため、体重が重いと人にとっては好適な伸び量でも、体重が軽い人は、伸びが少ないため硬いと感じていた。
【００２３】
これに対して本願発明では、弾性織物シートの弾性強度が、センター領域で弱くて（低くて）サイド領域で強く（高く）なっているため、座を例にとると、臀部（腰部）の左右幅の違いに対する弾性織物シートの伸び量（弾性変形量）の追従性を格段に向上できる。
【００２４】
すなわち、体重の重い人が腰掛けると、臀部がサイド領域に大きく広がることにより、全体としての弾性強度は非常に高くなって、適度の伸びを許容した状態に的確に支持できる一方、体重の軽い人が腰掛けると、弾性強度が高いサイド領域での支持面積は小さくなるため、いわば、伸縮しやすくなっている部位で臀部を支えることになり、この場合も、適度の伸びを許容した状態に的確に支持できる。
【００２５】
このように、本願発明では、体格の違い（臀部の左右幅の違い）に対する弾性織物シートの弾性変形の追従性が高くなるため、体重が軽重異なる人に同じ程度のクッション性を付与する機能が向上する。
【００２６】
さて、着座者の体圧を受ける部材として弾性布帛を使用している場合、座にしても背もたれにしても、従来は、強弾性糸は左右長手の姿勢で配置している。これは、着座者の体圧によって弾性布帛が左右方向に強く引っ張られることに対応していると言える。つまり、座を例にとると、着座者の臀部の箇所において弾性布帛に強い荷重が掛かっており、この荷重は、左右方向に大きく広がっているため、左右方向に長手の糸に対して強い負荷が掛かっており、そこで、左右方向に長い糸の弾性強度を高めるために、左右長手の糸の一部を強弾性糸としているのである。
【００２７】
そして、強弾性糸が左右長手の姿勢になっていることから、着座者の体圧によって弾性布帛はスリバチ状に変形するだけになっており、このため、身体に対するフィット性が十分でなかったと言える。また、図１（Ａ）を参照して説明したように、強弾性糸を左右長手の姿勢で配置していることから、異なる体重人に同じようなクッション性を付与するという体重感応性が十分でないと思料される。
【００２８】
これに対して請求項２の発明では、図１（Ｂ）に模式的に示すように、強弾性糸７ａが縦長姿勢であることにより、荷重が作用する強弾性糸７ａの本数が、体格の大小（臀部の左右幅）に比例して変化しやすくなっており、このため、各強弾性糸の伸び量を均等化できる。従って、弾性強度をセンター領域よりもサイド領域において高くした構成と相まって、異なる体重の使用者に対して同じ程度のクッション性を付与することが、より確実になる。
【００２９】
請求項３の発明では、使用者の体重の違いに対するサイド領域の弾性変形の応答性が高くなるため、一層好適である。サイド領域の弾性強度を徐々に変化させた場合も、同様の効果が発揮される。請求項５の構成を採用すると、強弾性緯糸の曲がりが少なくなるため、強弾性緯糸の浮きを防止して、見た目や感触も良好にすることができる。
【００３０】
請求項４の構成では、弾性織物シートの織成工程においては、単位経糸は同じ太さの弾性糸を単純に繰り出したら足りるため、太さや弾性強度が相違する緯糸と経糸に絡めて織り進めていっても、各単位経糸に大きなテンションの違いが発生することはなくて、織物としてよじれるようなことはない。従って、製造上の大きな問題はなくて、請求項６の製法で製造できるため、機能性に優れた弾性織物シートを商業的ベースで提供することができる。
【００３１】
人は身体を左又は右に寄せて腰掛けることがあるが、弾性織物シートの横幅を１８０〜２００ｍｍ程度に設定しておくと、着座者が身体を左又は右にずらしても、左右の座骨の箇所を的確に支持できるため、高い安定性を確保できる。
【００３２】
弾性織物シートを強度が異なるエリアで構成する手段としては、弾性強度が異なる複数種類の織地を用意して左右に並べ、左右に隣り合った織地を縫着等で接合することも可能であるが、請求項４や請求項６のように一連の織地（織物）で構成すると、接合工程が不要になって製造工程を簡素化できると共に、接合部の千切れ現象を回避して品質を安定化できる利点がある。
【図面の簡単な説明】
【００３３】
【図１】（Ａ）は比較例の模式図、（Ｂ）（Ｃ）は本願発明の模式図である。
【図２】実施形態に係る座の平面図である。
【図３】（Ａ）は第２サイド領域の模式的な平面図、（Ｂ）は第１サイド領域の模式的な平面図、（Ｃ）はセンター領域の模式的な平面図である。
【図４】第２サイド領域の組織例を示す図である。
【図５】製法を示す模式図である。
【図６】他の実施形態を示す図で、（Ａ）は平面図、（Ｂ）は（Ａ）のＢ−Ｂ視図、（Ｃ）は（Ａ）のＣ−Ｃ視断面図、（Ｄ）は別列図である。
【図７】更に他の実施形態を示す図で、（Ａ）は座フレームの平面図、（Ｂ）は（Ａ）のＢ−Ｂ視図、（Ｃ）は弾性織物シートの変形状態を示す図、（Ｄ）は（Ａ）のＤ−Ｄ視断面図である。
【図８】更に他の実施形態を示す図である。
【発明を実施するための形態】
【００３４】
(1).第１実施形態の概略
次に、本願発明の実施形態を図面に基づいて説明する。本実施形態は座に適用している。座は、図２に示すように、その外形を構成する座フレーム１と、これに張った（取付けた）弾性織物シート２とを有している。座フレーム１は樹脂製又は金属製であり、左右のサイドメンバー３とこれらの前端に繋がったフロントメンバー４、及び、左右のサイドメンバー３の後端に繋がったリアメンバー５とを有しており、平面視で略四角形に形成されている。
【００３５】
実施形態の座フレーム１は上下に開口しているが、樹脂製又は金属板製（鋼板製）のシェル構造品であってもよい。要は、弾性織物シート２の沈み込みを許容できたらよいのである。座の平面視形状は、デザイン的な要請に応じて、円形や台形又は逆台形などとすることも可能である。
【００３６】
弾性織物シート２の周縁は、その全体が座フレーム１に固定されている。固定手段としては、座フレーム１を上下の部材に構成して両者で挟み保持したり、弾性織物シート２の周縁にテープ状等の縁部材を固定して、この縁部材を座フレーム１に挿入したりするなど、様々な態様を採用できる。縁部材を座フレーム１の溝に嵌め込む場合、溝は座フレーム１の外周面に形成するのが普通であるので、この場合は、座フレーム１の全体が弾性織物シート２で上から覆われることになる。
【００３７】
弾性織物シート２は、経糸６の群に緯糸７の群を絡ませたものであり、経糸６が左右横長の姿勢になって、緯糸７が前後長手の姿勢になっている。本実施形態を適用している座では、前後方向が請求項に記載した縦方向になる。
【００３８】
弾性織物シート２は、左右の中間部を構成するセンター領域８と、その左右外側に位置した第１サイド領域９と、更に、第１サイド領域９の左右外側に位置した第２サイド領域１０とから成っている。従って、前後長手の中心線１１を挟んで、左右対称の態様になっている。具体的な寸法としては、センター領域８の左右幅は１８０〜２００ｍｍ程度、第１サイド領域９の左右幅は５０〜７０ｍｍ程度、第２サイド領域１０の左右３０〜５０ｍｍ程度に設定可能である。各サイド領域を２つに分けずに、１つのサイド領域と成すことも可能であるし、３以上に分けることも可能である。
【００３９】
左右方向の単位長さ当たりにおける前後方向の引っ張りに対する弾性強度（引っ張りに対する応力、弾性復元力）は、センター領域８は第１サイド領域９よりも弱く、第１サイド領域９は第２サイド領域１０よりも弱くなっている。弾性織物シート２の左右方向の弾性力（前後単位幅当たりの、左右方向の引っ張りに対する弾性強度）は、前後方向のどの位置においても同じである。なお、各経糸６と緯糸７とを、互いの交叉部において溶着することも可能である。
【００４０】
(2).弾性織物シートの具体的な組織
経糸６は、本実施形態では、弾性を有する第１経糸６ａと、基本的に弾性がない第２経糸６ｂとの２種類の糸を使用している。第１経糸６ａとしては、例えばウーリー糸を使用できる。基本的に弾性がない第２経糸６ｂとしては、例えば、強靱なタイヤコード原糸を使用できる。このように２種類の糸を使用しているのは、弾性織物シート２全体としての左右方向の張力と強度とを調整するためである。ウーリー糸は、例えば９００デニール程度のものを使用できる。両経糸６ａ，６ｂの比率と配置とは任意に変更できる。
【００４１】
緯糸７は、長手方向の弾性強度が相対的に大きい強弾性緯糸７ａと、長手方向の弾性強度が強弾性緯糸７ａよりも小さい第１低弾性緯糸７ｂと第２低弾性緯糸７ｃとを使用している。「低弾性」とは、「強弾性」に比べて弾性強度が小さいということであり、人の体重を支える強度は有している。
【００４２】
強弾性緯糸７ａには、例えば、東洋紡株式会社がダイヤフローラの商品名（登録商標）で販売している樹脂糸を使用することができる。第１低弾性緯糸７ｂとしては、例えば既述のウーリー糸を使用可能であり、第２低弾性緯糸７ｃとしては、カワボウテキスチャード株式会社が「パスタ」の商品名で販売しているストレッチ糸（弾性糸）を使用可能である。本実施形態のサンプルでは、ダイヤフローラは１０８０デニールのものを使用し、パスタは１５００デニールのものを使用した。
【００４３】
ダイヤフローラは、鞘管でエラストマーを被覆したポリエステル系のモノフィラメントであり、強度に優れているが曲がりにくい性質がある。従って、１本ずつの経糸６に絡まらせることは面倒である。しかし、図４に示すように、複数本の経糸６を１つのグループ１２として、グループ１２に絡ませると、強弾性緯糸７ａの曲がりは僅かで足りるため、強靱な強弾性緯糸７ａであっても容易に適用できる。なお、隣り合ったグループ１２の間に経糸６の１本分の欠落部を作ることも可能であり、この場合は、強弾性緯糸７ａの曲がりは一層ゆるやかになる。
【００４４】
強弾性緯糸７ａを経糸６のグループ１２に絡ませる場合、図４（Ａ）では、グループ１２は左右方向に一定しているが、（Ｂ）では、グループ１２を縦方向に１ピッチずつずらしていっている。いずれも採用可能である。
【００４５】
低弾性緯糸７ｂ，７ｃ及び経糸６は、マルチフィラメントとモノフィラメントのいずれも採用できるが、絡み変形の容易性を考慮すると、撚糸又は非撚糸のマルチフィラメントが好ましいと言える。マルチフィラメントの場合、細い糸を束ねたものを中間糸として、複数本の中間糸を撚ったものも使用できる。
【００４６】
本実施形態の弾性織物シートは、基本的には平織であるが、強弾性緯糸７ａについては、上記のとおり経糸６のグループ１２に対して絡まっている。そして、図３に示すように、第２サイド領域１０においては、緯糸７としての前部又は大部分を強弾性緯糸７ａで構成し、第１サイド領域９及びセンター領域８では、緯糸７として、強弾性緯糸７ａと低弾性緯糸７ｂ，７ｃとを使用して、単位左右幅当たりの強弾性緯糸７ａの打ち込み本数を、センター領域８よりも第１サイド領域９において多くしている。また、低弾性緯糸７ｂ，７ｃについては、センター領域８では、第１サイド領域９に比べて、弾性強度が低い第１低弾性緯糸７ｂの使用本数を多くしている。
【００４７】
(3).製造の手順・まとめ
弾性織物シート２は、帯状の原反１４を材料にして、これを所定の長さに切断して得ることができる。図５に示すように、原反１４は、織機を使用して、経糸６の群をその長手方向に繰り出しながら、緯糸７（強弾性緯糸７ａ及び低準弾性緯糸７ｂ，７ｃ）をシャトルで飛ばして経糸６に絡ませることによって織成される。
【００４８】
従って、原反１４には、１枚の弾性織物シート２のパターンが連続的に表れている。隣り合った弾性織物シート２において、互いの第２サイド領域１０を連続させて、第２サイド領域１０が等分になるように切断してもよいし、隣り合った弾性織物シート２の間に緯糸７ａ，７ｂ）が存在しない空白部を設けて、この空白部の箇所で切断してもよい。隣り合った弾性織物シート２の第２サイド領域１０を連続した状態に織成しつつ、境界部の箇所に、点線で示すように、緯糸７（７ａ，７ｂ）とは色が明確に相違する境界糸１５を１本打ち込んで、この境界糸１５を目安として原反を切断することも可能である。
【００４９】
以上の構成において、人が座に腰掛けると、各経糸６（６ａ，６ｂ）と緯糸７（７ａ，７ｂ，７ｃ）が荷重の大きさに応じて伸び変形する。この場合、図１（Ｂ）を参照して説明したように、着座者の体格（体重）が相違すると、まず、強弾性緯糸７ａを横長姿勢に配置した場合に比べて、荷重が強く作用する強弾性緯糸７ａの本数の変化が大きいため、各強弾性緯糸７ａに作用する荷重の大きさ（伸びの大きさ）を、使用者の体重が相違してもできるだけ共通化できる。
【００５０】
つまり、体重が重い人が使用すると、荷重が強く作用する強弾性緯糸７ａの本数は多くなって、体重が軽い人が使用すると、荷重が強く作用する強弾性緯糸７ａの本数は少なくなって、いずれにおいても、１本の強弾性緯糸７ａの伸び量をできるだけ均等化できる。
【００５１】
更に、弾性強度を、センター領域８＜第１サイド領域９＜第２サイド領域１０の関係に設定しているため、臀部（腰部）の左右幅の違いに対する弾性織物シート２の伸びの追従性が高くて、弾性織物シート２全体を、使用者の体重の違いに対応して大きな変化率で変化させることができる。これらの相乗効果により、体重が相違する人に対して、同じ程度のクッション性・フィット性を付与できるのである。
【００５２】
なお、強弾性緯糸７ａが前後長手の姿勢であることにより、着座者の左右の座骨の間に位置した強弾性緯糸７ａは荷重があまりかからずに伸びが小さい（或いは殆ど伸びない）ため、左右中間部が稜線になるように弾性織物シート２を変形させることも可能になるといえる。
【００５３】
各領域の弾性強度を相違させる手段としては、強弾性緯糸７ａの打ち込み本数を変えることに代えて、或いはこれに加えて、緯糸７の打ち込みピッチを変えることも可能である。或いは、強弾性緯糸７ａの太さを変えることも可能である。
【００５４】
(4).図６の実施形態
次に、図６に示す他の実施形態を説明する。この実施形態は、基本的に既述の実施形態と同じであるが、第１の相違点として、座フレーム１を構成するリアメンバー５が正面視山形に形成されている。このように、リアメンバー５を正面視山形に形成すると、弾性織物シート２の左右中間部が当初から稜線上に盛り上がるため、身体へのフィット性を一層向上できる。
【００５５】
他の特徴として、座フレーム１を構成するサイドメンバー３の前端部が下方から後ろに向かうようにＵターン状に曲げられており、弾性織物シート２の前部２ａも後ろ向きに折り返されて横向きＵ字形になっている。そして、横向きＵ字形の前部２ａを２枚重ね構造にしている。前部２ａは、折り返してから縫着して一体化しているが、他の布材を縫着して２枚重ね構造（複数枚重ね構造）とすることも可能である。
【００５６】
この構成では、着座者の大腿部がフロントメンバー４に当たることはないため、突き上げ感を無くすことができる。また、人が着座すると、前部２ａは後ろ向きに引っ張られるが、横向きＵ字形の部分が２枚重ねになっていると、後ろ向きの引っ張りに対する抵抗が高くなるため、後ろ向きのずれを抑制して、弾性織物シート２に稜線を形成しやすくなる。（Ｃ）に示すように、フロントメンバー４は下向きに曲げただけであってもよい。
【００５７】
(5).図７の実施形態
図７に示す実施形態は、図６の実施形態を更に発展させたタイプである。この実施形態では、まず、フロントメンバー４の本体部を、サイドメンバー３の前端よりも後ろでサイドメンバー３の上面よりも低くなるように配置して、フロントメンバー４の左右中間部に、弾性織物シート２の左右中間部を上向きに盛り上がった状態（突出させた状態）で支持するフロント山形支持部１７を設けている。フロント山形支持部１７は側面視で上向きにカールしており、平面視では後ろ向きの山形になっている。フロント山形支持部１７の上端は、サイドメンバー３の上面よりも高くなっている。
【００５８】
リアメンバー５は、フロントメンバー４と前後対称の形状になっており、その本体部は、サイドメンバー３の上面よりも低くてかつサイドメンバー３の後端よりも手前に位置しており、リアメンバー５の左右中間部に、弾性織物シート２の左右中間部を上向きに盛り上がった状態で支持するリア山形支持部１８を設けている。リア山形支持部１８は側面視で上向きにカールしており、平面視では前向きの山形になっている。リア山形支持部１８の上端は、サイドメンバー３の上面よりも高くなっている。
【００５９】
この実施形態では、フロントメンバー４とリアメンバー５とに山形支持部１７，１８を形成しているため、弾性織物シート２の左右中間部には、人が着座する前から前後に長い稜線が形成されており、人が着座すると、弾性織物シート２は、稜線を維持して状態で下方に沈み変形する。このため、着座者の臀部に対するフィット性が高い。
【００６０】
更に、本実施形態では、弾性織物シート２は、フロントメンバー４及びリアメンバー５の山形支持部１７，１８の左右外側では下方に回り込んでいるため、前後方向に変形しやすい状態になっている。このため、弾性織物シート２のクッション性が格段に高い。つまり、弾性織物シート２のうち、山形支持部１７，１８を挟んだ左右両側の前部２ａと後端部２ｂとが、弾性織物シート２の伸びを緩衝するばねとして機能するのであり、これにより、クッション性を格段に向上できる。
【００６１】
また、フロントメンバー４は、山形支持部１７の左右両側においては下方に回り込んでいるため、使用者の大腿部が突き上げられることもない。この面においても、身体への当たりを柔らかくして、人に快適を座り心地を提供できる。
【００６２】
本実施形態の変形例として、前後の山形部１７，１８をサイドメンバー３から上に突出しない形態にすることも可能である。この場合は、人が着座していない状態では弾性織物シート２には稜線は見られず、人が着座すると、左右両側の部位が沈み込んで稜線が表れる。従って、デザイン的にすっきりさせつつ、フィット性を向上できる。この図７の場合も、図６の場合と同様に、側面視Ｕ形になっている前後の部分（或いは前後いずれか一方）を、折り返し等によって複数枚枚重ね構造にすることが可能であり、これにより、端部のばね性を向上できる。
【００６３】
(7).図８の実施形態・その他
図８（Ａ）では、織り構造を異ならせた例を示している。すなわち、この実施形態は、第１実施形態と同様にセンター領域８と第１サイド領域９と第２サイド領域１０とを有しているが、第２サイド領域１０は平織構造として、第１サイド領域９は２点飛びの綾織構造として、センター領域８は３点飛びの綾織構造としている。なお、第１サイド領域９は、実際には左右長さは遥かに長くなる。
【００６４】
このように、各エリアにおいて織り構造を変えることにより、弾性織物シート２に模様を形成してデザイン的な価値を向上できる。経糸と緯糸との色を変えて様々な柄を表現することも可能である。例えば、経糸と緯糸とを、複数本ずつを１つのグループとして多数のグループに構成し、グループの色を交互に２色に変えることにより、チェック柄を表現することができる。
【００６５】
図８（Ｂ）に示す実施形態では、弾性織物シート２の中心箇所に弾性強度が高い補助領域１９を形成して、補助領域１９を挟んだ左右両側を、センター領域８，第１サイド領域９、第２サイド領域１０に区分している。この実施形態では、補助領域１９の弾性強度は高いが、中間部には大きな荷重は作用しないため、本実施形態のように補助領域１９を設けても、効果には違いはない。この実施形態と図６，７の実施形態とを組み合わせることも可能である。補助領域１９の弾性強度は、第２サイド領域１０と同じ強さであってもよいし、第２サイド領域１０より強くてもよいし、第２サイド領域１０より弱くてセンター領域８より強くてもよい。
【００６６】
上記の実施形態は椅子に適用した場合であったが、背もたれに適用できる。本願発明を適用できる椅子には、回転椅子やパイプ椅子、劇場等の固定式椅子、複数人が掛けるベンチなど、様々のものが含まれる。背もたれ付きの椅子の場合、座と背もたれとのうち片方だけに本願発明を適用してもよいし、両方に適用してもよい。
【産業上の利用可能性】
【００６７】
本願発明は、椅子に具体化できる。従って、産業上利用できる。
【符号の説明】
【００６８】
１  座フレーム
２  弾性織物シート
６  経糸
６ａ  第１経糸（弾性経糸）
６ｂ  第２経糸（非弾性経糸）
７  緯糸
７ａ  強弾性緯糸
７ｂ  第１低弾性緯糸
７ｃ  第２低弾性緯糸
８  センター領域
９  第１サイド領域
１０  第２サイド領域
１２  経糸のグループ
【図１】
2017213185.tif 000003
【図２】
2017213185.tif 000004
【図３】
2017213185.tif 000005
【図４】
2017213185.tif 000006
【図５】
2017213185.tif 000007
【図６】
2017213185.tif 000008
【図７】
2017213185.tif 000009
【図８】
2017213185.tif 000010